(57)【要約】【課題】見栄えを向上させながらも組付性及び組付強度を向上し得る建具用パネルを提供する。【解決手段】パネル本体１０に設けられた厚さ方向に貫通する開口１４に嵌め込まれた板状部材１７の周縁１８を厚さ方向両側から縁部材３０，３０で挟むように保持させた建具用パネル１であって、前記開口の内周面１５に固定され、厚さ方向両側にそれぞれ係止して取り付けられた前記縁部材によって覆われる取付部材２０を備えており、前記取付部材は、前記開口の内周面のパネル厚さ方向途中部位に周方向に延びるように設けられた凹溝１６に挿入される位置決め突片２１と、この位置決め突片のパネル厚さ方向両側に設けられ、前記開口の内周面に当接された状態でそれぞれに止具１９，１９によって固定される固定片部２２，２２と、を備えている。【選択図】図１
2014237944.tif 000002
【特許請求の範囲】
【請求項１】
パネル本体に設けられた厚さ方向に貫通する開口に嵌め込まれた板状部材の周縁を厚さ方向両側から縁部材で挟むように保持させた建具用パネルであって、
前記開口の内周面に固定され、厚さ方向両側にそれぞれ係止して取り付けられた前記縁部材によって覆われる取付部材を備えており、
前記取付部材は、前記開口の内周面のパネル厚さ方向途中部位に周方向に延びるように設けられた凹溝に挿入される位置決め突片と、この位置決め突片のパネル厚さ方向両側に設けられ、前記開口の内周面に当接された状態でそれぞれに止具によって固定される固定片部と、を備えていることを特徴とする建具用パネル。
【請求項２】
請求項１において、
前記厚さ方向両側の縁部材は、前記パネル本体の厚さ方向両面のそれぞれに連続するように面一状に設けられた表面板部を有していることを特徴とする建具用パネル。
【請求項３】
請求項１または２において、
前記厚さ方向両側の縁部材の反開口内周面側に、前記板状部材に向けてそれぞれに突出し、該板状部材に当接して保持する突片部が設けられ、該突片部の先端部を軟質部としたことを特徴とする建具用パネル。
【請求項４】
請求項１乃至３のいずれか１項において、
前記取付部材のパネル厚さ方向両側及び前記厚さ方向両側の縁部材の裏面側のうちの一方にパネル厚さ方向に突出するように設けられた係止突片を、他方に設けられたパネル厚さ方向に開口する係止凹溝に係止させ、前記取付部材に厚さ方向両側の縁部材をそれぞれに取り付ける構造とされていることを特徴とする建具用パネル。
【請求項５】
請求項４において、
前記係止突片は、前記開口の周方向に沿って延びるようにかつ互いに間隔を空けて平行状に設けられた第１係止突片と第２係止突片とを備え、前記係止凹溝は、これら第１係止突片及び第２係止突片をそれぞれに係止する第１係止凹溝と第２係止凹溝とを備えていることを特徴とする建具用パネル。
【発明の詳細な説明】
【技術分野】
【０００１】
本発明は、パネル本体の開口に板状部材を嵌め込んだ構成とした建具用パネルに関する。
【背景技術】
【０００２】
従来より、デザイン性や重厚感等を持たせるべく凹凸形状を形成するためや、採光用の板状部材をパネル本体の開口に嵌め込んだ構成とした建具が知られている。このような建具は、板状部材の周縁を厚さ方向両側から押さえ、挟むように保持する額縁材（モール材）をタッカーや釘等の止具によって開口の内周縁等に固定してパネル本体に板状部材を組み込んだ構成とされている。しかしながら、このようなものでは、止具が目立ち易くなるという問題があった。
例えば、下記特許文献１では、扉に設けられた開口部に板状部材を固定する額縁構造が提案されている。この額縁構造は、断面略Ｔ字状に形成された連結部材の一片を開口部の内面に形成された開口部側溝に挿入して固定した構造とされている。また、この連結部材の一片に直交する方向で相反する方向に延在する二片のそれぞれを、板状部材の周囲を挟む対の額縁部材の対向面側にそれぞれに設けられた溝に挿入させて対の額縁部材を固定した構造とされている。
【先行技術文献】
【特許文献】
【０００３】
【特許文献１】特開２００４−２５１０７６号公報
【発明の概要】
【発明が解決しようとする課題】
【０００４】
しかしながら、上記特許文献１に記載された額縁構造は、断面略Ｔ字状の連結部材の一片を開口部の開口部側溝に挿入して固定された連結部材の残余の二片を対の額縁部材の溝にそれぞれ挿入させる構造とされている。そのため、連結部材の一片の開口部側溝への挿入度合いにずれ等が生じれば、連結部材の残余の二片を額縁部材の溝に挿入させ難くなるというようなことが考えられ、更なる改善が望まれる。また、連結部材を、その一片を開口部側溝に挿入して固定するのみであるので、連結部材を安定的に固定し難いというようなことも考えられる。
【０００５】
本発明は、上記実情に鑑みてなされたものであり、見栄えを向上させながらも組付性及び組付強度を向上し得る建具用パネルを提供することを目的としている。
【課題を解決するための手段】
【０００６】
上記目的を達成するために、本発明に係る建具用パネルは、パネル本体に設けられた厚さ方向に貫通する開口に嵌め込まれた板状部材の周縁を厚さ方向両側から縁部材で挟むように保持させた建具用パネルであって、前記開口の内周面に固定され、厚さ方向両側にそれぞれ係止して取り付けられた前記縁部材によって覆われる取付部材を備えており、前記取付部材は、前記開口の内周面のパネル厚さ方向途中部位に周方向に延びるように設けられた凹溝に挿入される位置決め突片と、この位置決め突片のパネル厚さ方向両側に設けられ、前記開口の内周面に当接された状態でそれぞれに止具によって固定される固定片部と、を備えていることを特徴とする。
【０００７】
本発明においては、前記厚さ方向両側の縁部材を、前記パネル本体の厚さ方向両面のそれぞれに連続するように面一状に設けられた表面板部を有したものとしてもよい。
また、本発明においては、前記厚さ方向両側の縁部材の反開口内周面側に、前記板状部材に向けてそれぞれに突出し、該板状部材に当接して保持する突片部を設け、該突片部の先端部を軟質部としてもよい。
また、本発明においては、前記取付部材のパネル厚さ方向両側及び前記厚さ方向両側の縁部材の裏面側のうちの一方にパネル厚さ方向に突出するように設けられた係止突片を、他方に設けられたパネル厚さ方向に開口する係止凹溝に係止させ、前記取付部材に厚さ方向両側の縁部材をそれぞれに取り付ける構造としてもよい。
また、本発明においては、前記係止突片を、前記開口の周方向に沿って延びるようにかつ互いに間隔を空けて平行状に設けられた第１係止突片と第２係止突片とを備えたものとし、前記係止凹溝を、これら第１係止突片及び第２係止突片をそれぞれに係止する第１係止凹溝と第２係止凹溝とを備えたものとしてもよい。
【発明の効果】
【０００８】
本発明に係る建具用パネルは、上述のような構成としたことで、見栄えを向上させながらも組付性及び組付強度を向上させることができる。
【図面の簡単な説明】
【０００９】
【図１】（ａ）、（ｂ）は、いずれも本発明の一実施形態に係る建具用パネルの一例を模式的に示し、（ａ）は、図２におけるＸ−Ｘ線矢視に対応させた一部破断概略横断面図、（ｂ）は、（ａ）に対応させた一部を省略した一部破断概略分解横断面図である。
【図２】同建具用パネルの概略正面図である。
【発明を実施するための形態】
【００１０】
以下に本発明の実施の形態について、図面に基づいて説明する。
図１及び図２は、本実施形態に係る建具用パネルの一例を模式的に示す図である。
なお、一部の図では、他図に付している詳細な符号の一部を省略している。
また、以下の実施形態では、建具用パネルを施工した状態を基準として、上下方向等の方向を説明する。
【００１１】
本実施形態に係る建具用パネル１は、図１（ａ）及び図２に示すように、パネル本体１０に設けられた厚さ方向に貫通する開口１４に嵌め込まれた板状部材１７の周縁１８を厚さ方向両側から縁部材３０，３０で挟むように保持させた構成とされている。また、建具用パネル１は、パネル本体１０の開口１４の内周面１５に固定され、厚さ方向両側にそれぞれ係止して取り付けられた縁部材３０，３０によって覆われる取付部材２０を備えている。
この建具用パネル１は、上下（縦方向）に長尺の略矩形板状とされている。本実施形態では、建具用パネル１を、パネル本体１０の戸先側端部に回動操作される取手（ハンドル）１３を設けた開き戸とした例を示している。なお、建具用パネル１を、開き戸とした態様に限られず、引戸や、折戸の各戸板等を構成するものとしてもよい。この場合は、回動操作される取手１３に代えて、引手や他の取手等の手掛部を適宜、設けるようにしてもよい。
【００１２】
パネル本体１０は、上下に長尺の略矩形板状とされている。本実施形態では、パネル本体１０に、単一の開口１４を設けた例を示しており、この開口１４を、パネル厚さ方向に見て矩形状とし、また、上下に長尺としている。また、開口１４を、パネル本体１０の上下方向の大部分に亘って設け、パネル幅方向に沿う寸法を比較的に小さくしたスリット状とし、また、パネル幅方向中央よりも戸先側に設けた例を示している。
この開口１４の内周面１５には、図１に示すように、パネル厚さ方向途中部位において周方向に延びるように設けられた凹溝１６が設けられている。本実施形態では、この凹溝１６を、パネル厚さ方向中央に設けた例を示している。
【００１３】
なお、この凹溝１６は、開口１４の内周面１５の全周に亘って設けるようにしてもよく、または内周面１５に周方向に沿って部分的に設けるようにしてもよい。
また、パネル本体１０は、木質系材料や合成樹脂系材料等から形成されたものとしてもよく、これらからなる基材の表面に、突板や樹脂フィルム等の表面化粧シートが貼着されたり、塗装が施されたりして表面化粧処理が施されたものとしてもよい。また、パネル本体１０としては、複数の桟状部材によって芯組みされた芯材の表面に、表面材を貼着したいわゆるフラッシュ構造とされたものとしてもよい。この場合は、開口１４を桟状部材によって区画形成するようにしてもよい。
【００１４】
板状部材１７は、図１（ａ）に示すように、パネル本体１０の厚さよりも薄くかつ全体に亘って一様な厚さとされている。
本実施形態では、板状部材１７を、上記したパネル本体１０の開口１４に対応させて、パネル厚さ方向に見て矩形状とし、また、上下に長尺としている。
また、本実施形態では、板状部材１７を、アクリルやポリカーボネート等の合成樹脂系材料や、ガラス等からなる透光性を有した採光部を構成する採光パネル１７としている。
なお、板状部材１７は、採光パネル１７に限られず、不透光な木質系材料や合成樹脂系材料等から形成されたものとしてもよく、表面に、上記同様の表面化粧処理が施されたものとしてもよい。また、板状部材（採光パネル）１７の厚さ寸法は、パネル本体１０の厚さ寸法を一般的な建具厚（例えば、２５ｍｍ〜４０ｍｍ程度）とした場合には、２．５ｍｍ〜１５ｍｍ程度としてもよい。
【００１５】
取付部材２０は、図１に示すように、パネル本体１０の開口１４の内周面１５に設けられた凹溝１６に挿入される位置決め突片２１と、この位置決め突片２１のパネル厚さ方向両側に設けられた固定片部２２，２２と、を備えている。
この取付部材２０は、開口１４の内周面１５に全周に亘って設けられるものとしてもよく、周方向に間隔を空けて複数箇所に設けられるものとしてもよい。例えば、矩形状とされた開口１４の上下に向く内周面１５，１５の左右端部を除いた部位及び左右に向く内周面１５，１５の上下端部を除いた部位のそれぞれに周方向に沿って一連状にまたは間隔を空けて取付部材２０，２０，２０，２０を設けるようにしてもよい。
【００１６】
位置決め突片２１は、厚さ方向をパネル厚さ方向に沿わせた板状とされており、厚さ寸法が凹溝１６のパネル厚さ方向に沿う寸法（溝幅寸法）に応じた寸法とされている。図例では、この位置決め突片２１の厚さ寸法を、採光パネル１７の厚さ寸法と略同寸法とした例を示している。また、位置決め突片２１は、開口１４の内周面１５の周方向に沿って延びるように形成されている。なお、位置決め突片２１及び凹溝１６は、厚さ方向を上下方向に沿わせた状態のパネル本体１０に取付部材２０を取り付けた状態で、取付部材２０が容易には脱落しないように適宜、形成するようにしてもよい。また、この位置決め突片２１の厚さ寸法を、凹溝１６の溝幅寸法よりも僅かに大きい寸法とし、凹溝１６に圧入されるものとしてもよい。
【００１７】
固定片部２２，２２は、開口１４の内周面１５に当接された状態で、それぞれにねじや釘、タッカー等の止具１９，１９によってパネル本体１０に固定される構成とされている。
これら固定片部２２，２２は、それぞれの開口１４の内周面１５に向く面が内周面１５に当接されてパネル本体１０に固定される。また、図例では、これら固定片部２２，２２を、これらの反開口内周面側（開口１４の内周面１５に対して直交する方向の開口中心側、採光パネル１７側）から内周面１５に対して概ね直交状に止着した止具１９，１９によってパネル本体１０に固定した例を示している。なお、これら止具１９，１９は、開口１４の内周面１５の周方向に沿って間隔を空けて複数箇所に止着するようにしてもよい。また、これら止具１９，１９は、内周面１５に対して斜め状に止着するようにしてもよい。また、これら固定片部２２，２２の反開口内周面側の面に、止具１９，１９の止着箇所の目安（誘い）となる細溝や下穴等を設けるようにしてもよい。または、これら固定片部２２，２２に、止具１９，１９が挿通される複数の止具孔を取付部材２０の長手方向に沿って間隔を空けて設けるようにしてもよい。
【００１８】
また、これら固定片部２２，２２は、位置決め突片２１の基端部からパネル厚さ方向両側にパネル厚さ方向に沿って突出するようにそれぞれ設けられている。本実施形態では、これら固定片部２２，２２の突出寸法を互いに同寸法とし、一方の固定片部２２の突出方向先端から他方の固定片部２２の突出方向先端までのパネル厚さ方向に沿う寸法を、パネル本体１０の厚さ寸法よりも小さくしている。
【００１９】
この取付部材２０及び厚さ方向両側の縁部材３０，３０には、互いに係止する係止部２３，２６，３５，３６がそれぞれに設けられている。本実施形態では、これらの係止部２３，２６，３５，３６を、パネル厚さ方向に沿って係止する構成としている。また、取付部材２０のパネル厚さ方向両側及び厚さ方向両側の縁部材３０，３０の裏面側のうちの一方にパネル厚さ方向に突出するように係止突片３５，３６を設け、他方にパネル厚さ方向に開口する係止凹溝２３，２６を設けた構成としている。また、係止突片３５，３６を係止凹溝２３，２６に係止させ、取付部材２０に厚さ方向両側の縁部材３０，３０をそれぞれに取り付ける構造としている。
また、本実施形態では、係止突片３５，３６を、開口１４の周方向に沿って延びるようにかつ互いに間隔を空けて平行状に設けられた第１係止突片３５と第２係止突片３６とを備えたものとしている。また、係止凹溝２３，２６を、これら第１係止突片３５及び第２係止突片３６をそれぞれに係止する第１係止凹溝２３と第２係止凹溝２６とを備えたものとしている。
【００２０】
本実施形態では、係止突片３５，３６を縁部材３０，３０に設け、係止凹溝２３，２６を取付部材２０に設けた構成としている。
取付部材２０のパネル厚さ方向両側の第１係止凹溝２３，２３は、固定片部２２，２２のそれぞれに設けられている。これら第１係止凹溝２３，２３は、固定片部２２，２２の突出方向先端面においてそれぞれ開口するように設けられている。
第２係止凹溝２６，２６は、固定片部２２，２２から反開口内周面側に間隔を空けてパネル厚さ方向両側に設けられた中心側片部２５，２５に設けられている。これら中心側片部２５，２５は、各固定片部２２，２２の基端部から反開口内周面側に向けて突出するように形成された連結片部２４の突出方向先端部からパネル厚さ方向両側にパネル厚さ方向に沿って突出するようにそれぞれ設けられている。これら中心側片部２５，２５の突出方向先端面においてそれぞれ開口するように第２係止凹溝２６，２６が設けられている。
【００２１】
また、本実施形態では、これら中心側片部２５，２５を、それぞれの突出方向先端が各固定片部２２，２２の突出方向先端よりもパネル厚さ方向中心側に位置するように設けている。つまり、パネル厚さ方向中心から各中心側片部２５，２５の突出方向先端までのパネル厚さ方向に沿う寸法を、パネル厚さ方向中心から各固定片部２２，２２の突出方向先端までのパネル厚さ方向に沿う寸法よりも小さくしている。このような構成とすれば、固定片部２２，２２に止具１９，１９を止着する際における治具等の中心側片部２５，２５への干渉を抑制することができ、作業性を向上させることができる。なお、これら中心側片部２５，２５及び固定片部２２，２２のパネル厚さ方向に沿う寸法は、止具１９，１９の止着作業性や、第２係止凹溝２６，２６と第２係止突片３６，３６との係止強度等の観点から適宜、設定するようにしてもよい。
【００２２】
また、上記のような構成により、本実施形態では、第１係止凹溝２３，２３よりも反開口内周面側（採光パネル１７側）に位置する第２係止凹溝２６，２６が、第１係止凹溝２３，２３よりもパネル厚さ方向中心に設けられることとなる。つまりは、開口１４の内周面１５側の第１係止凹溝２３，２３と第１係止突片３５，３５との係止部位よりも、反開口内周面側の第２係止凹溝２６，２６と第２係止突片３６，３６との係止部位がパネル厚さ方向中心側に位置する構成としている。図例では、第１係止凹溝２３，２３の溝底を、中心側片部２５，２５の突出方向先端よりもパネル厚さ方向外方側に位置させ、第２係止凹溝２６，２６の溝底を、採光パネル１７の厚さ方向両面にそれぞれ略同一平面状となるように位置させた例を示している。
【００２３】
なお、図例では、取付部材２０の第１係止凹溝２３，２３及び第２係止凹溝２６，２６を、矩形溝形状とした例を示しているが、これらに挿入される第１係止突片３５，３５及び第２係止突片３６，３６を係止可能な形状であればよい。例えば、各係止凹溝２３，２６の両側溝内側面に、後記する各係止突片３５，３６の爪形状に対応させた係止爪を設けるようにしてもよい。
また、取付部材２０の位置決め突片２１、固定片部２２，２２、連結片部２４及び中心側片部２５，２５は、取付部材２０の全長に亘って設けられたものとしてもよく、または少なくとも一つが取付部材２０の長手方向の一部のみに設けられたものとしてもよい。
また、取付部材２０は、合成樹脂系材料や金属系材料等から上記形状に一体的に形成されたものとしてもよい。
【００２４】
縁部材３０，３０は、本実施形態では、パネル本体１０の厚さ方向両側においてそれぞれ開口１４の内周面１５の全周に亘って設けられている。つまり、本実施形態では、厚さ方向両側の縁部材３０，３０を、開口１４の内周面１５の全周に亘って額縁状に設けている。
これら厚さ方向両側の縁部材３０，３０は、パネル本体１０の開口１４の内周面１５に固定された取付部材２０の全体を覆う構成とされている。また、これら厚さ方向両側の縁部材３０，３０は、採光パネル１７の周縁１８を、全周に亘って厚さ方向両側から挟むように保持する構成とされている。
【００２５】
本実施形態では、パネル厚さ方向に見て矩形状とされた開口１４の四辺縁にそれぞれ対応させてパネル厚さ方向両側で一組の縁部材３０，３０を四組備えた態様としている。また、図例では、開口１４の各辺縁に設けられた周方向に隣接する縁部材３０，３０の互いに突き合わせられた端部同士を斜め状とし、いわゆる留継状に納めた例を示している。なお、このような態様に代えて、一方の縁部材３０の長手方向端面を、他方の縁部材３０の端部側面に当接させた態様としてもよい。
また、本実施形態では、これら縁部材３０，３０を、同一断面形状とされたものとしている。これら縁部材３０，３０は、開口１４の各辺縁の長さに応じた長さ寸法となるように、同一部材からなるものを切断等によって長さを調整して形成されたものとしてもよい。
【００２６】
また、本実施形態では、これら厚さ方向両側の縁部材３０，３０を、パネル本体１０の厚さ方向両面１１，１２のそれぞれに連続するように面一状に設けられた表面板部３１，３１を有したものとしている。図例では、表面板部３１，３１の表面（パネル厚さ方向外方側に向く面）を、パネル本体１０の厚さ方向両面１１，１２よりもパネル厚さ方向において僅かに外方側に位置させた例を示しているがこのようなものも上記面一状に含む。なお、表面板部３１，３１の表面とこれに連なるように配されるパネル本体１０の厚さ方向両面１１，１２との間に、パネル厚さ方向に沿って３ｍｍ程度まで、好ましくは１．５ｍｍ程度までの段差があるようなものも上記面一状に含むようにしてもよい。
【００２７】
また、本実施形態では、これら厚さ方向両側の縁部材３０，３０の表面板部３１，３１の反開口内周面側に、反開口内周面側に向かうに従いパネル厚さ方向中心に向けて下るように傾斜する表面形状とされた傾斜面部３２，３２を連なるように設けている。このような傾斜面部３２，３２を設けた構成とすれば、パネル本体１０と採光パネル１７との厚さ寸法差（段差）を緩和することができる。図例では、取付部材２０の中心側片部２５，２５が設けられた部位付近よりも反開口内周面側を傾斜面部３２，３２とした例を示している。
【００２８】
また、本実施形態では、これら厚さ方向両側の縁部材３０，３０の反開口内周面側に、採光パネル１７に向けてそれぞれに突出し、採光パネル１７に当接して保持する突片部３３，３３を設けている。これら突片部３３，３３は、各傾斜面部３２，３２の反開口内周面側縁からパネル厚さ方向中心に向けて突出するように一連状に設けられている。
また、本実施形態では、これら突片部３３，３３の先端部を軟質部３４，３４としている。これら軟質部３４，３４は、軟質系樹脂材料等から形成されたものとしてもよく、比較的に軟質で変形可能な可撓性や弾性等を有したものであればよく、例えば、エラストマー系樹脂材や発泡系樹脂材等から形成されたものとしてもよい。
これら軟質部３４，３４は、図１（ａ）に示すように、各縁部材３０，３０を取付部材２０に取り付け、採光パネル１７を厚さ方向両側から挟むように保持した状態では、採光パネル１７の厚さ方向両面に弾性変形（圧縮変形）を伴い当接される。
【００２９】
上記した取付部材２０の第１係止凹溝２３，２３に係止する各縁部材３０，３０の第１係止突片３５，３５は、表面板部３１，３１の裏面（パネル厚さ方向中心側に向く面）に設けられている。これら第１係止突片３５，３５は、各表面板部３１，３１の裏面からパネル厚さ方向中心に向けて突出するように形成されている。また、これら第１係止突片３５，３５の両側面には、突出方向に沿って複数の係止爪が鋸刃状に設けられている。
これら第１係止突片３５，３５を、取付部材２０の各第１係止凹溝２３，２３に挿入させ、係止させた状態では、各縁部材３０，３０の表面板部３１，３１の裏面が取付部材２０の各固定片部２２，２２の突出方向先端面に当接される構成とされている。このような構成とすれば、各縁部材３０，３０の表面板部３１，３１の裏面を取付部材２０の各固定片部２２，２２の突出方向先端面に当接させることで、各縁部材３０，３０の開口内周面側部位のパネル厚さ方向への位置決めを容易に行うことができる。
【００３０】
また、取付部材２０の第２係止凹溝２６，２６に係止する各縁部材３０，３０の第２係止突片３６，３６は、表面板部３１，３１と傾斜面部３２，３２との境界部付近の裏面側に設けられている。図例では、傾斜面部３２，３２の裏面側に、パネル本体１０の厚さ方向両面１１，１２と平行状とされ、パネル厚さ方向中心に向く平面部を設け、この平面部からパネル厚さ方向中心に向けて突出させるように、これら第２係止突片３６，３６を設けた例を示している。また、これら第２係止突片３６，３６の両側面には、上記同様、突出方向に沿って複数の係止爪が鋸刃状に設けられている。
これら第２係止突片３６，３６を、取付部材２０の各第２係止凹溝２６，２６に挿入させ、係止させた状態では、各縁部材３０，３０の平面部が取付部材２０の各中心側片部２５，２５の突出方向先端面に当接される構成とされている。このような構成とすれば、各縁部材３０，３０の平面部を取付部材２０の各中心側片部２５，２５の突出方向先端面に当接させることで、各縁部材３０，３０の反開口内周面側部位のパネル厚さ方向への位置決めを容易に行うことができる。
【００３１】
つまりは、本実施形態では、縁部材３０の係止突片３５，３６の基端部近傍の裏面を、取付部材２０の係止凹溝２３，２６の開口縁に当接させることで、取付部材２０に対する縁部材３０のパネル厚さ方向への位置決めを容易に行うことができる。
なお、これら厚さ方向両側の縁部材３０，３０の表面板部３１，３１、傾斜面部３２，３２及び軟質部３４，３４を含む突片部３３，３３は、各縁部材３０，３０の全長に亘って設けられている。また、各係止突片３５，３５，３６，３６も同様、各縁部材３０，３０の全長に亘って設けるようにしてもよく、または、各縁部材３０，３０の長手方向に沿って間隔を空けて複数箇所に設けられたものとしてもよい。
また、縁部材３０，３０は、合成樹脂系材料や金属系材料等から形成されたものとしてもよい。また、縁部材３０，３０の軟質部３４，３４は、各縁部材３０，３０の突片部３３，３３に接着剤等によって接合されたものとしてもよいが、二色成形（異材質成形）等によって各縁部材３０，３０に一体的に形成されたものとしてもよい。
【００３２】
上記構成とされた各部材からなる建具用パネル１は、例えば、以下のようにして組み付けるようにしてもよい。
パネル本体１０の開口１４の内周面１５に、取付部材２０を止具１９，１９によって固定する。なお、この際、接着剤等を併用するようにしてもよい。
次いで、取付部材２０のパネル厚さ方向一方側に開口１４の内周面１５の周方向に沿って縁部材３０を取り付ける。そして、この縁部材３０が取り付けられた側を下方側として厚さ方向を上下方向に沿わせた状態のパネル本体１０の開口１４に、採光パネル１７を配置する。つまり、採光パネル１７の周縁１８を、縁部材３０の突片部３３（軟質部３４）に載置するようにして採光パネル１７を開口１４内に配置する。そして、取付部材２０のパネル厚さ方向他方側に開口１４の内周面１５の周方向に沿って縁部材３０を取り付けて組み付ける態様としてもよい。
なお、上記組付手順は、一例であり、他の手順でなされるものとしてもよい。
【００３３】
本実施形態に係る建具用パネル１は、上述のような構成としたことで、見栄えを向上させながらも組付性及び組付強度を向上させることができる。
つまり、板状部材（採光パネル）１７の周縁１８を厚さ方向両側から挟むように保持する縁部材３０，３０が取り付けられ、パネル本体１０の開口１４の内周面１５に止具１９，１９によって固定される取付部材２０を、縁部材３０，３０によって覆う構造としている。従って、止具１９，１９が露出するようなことがなく、見栄え良く採光部を構成する採光パネル１７（または鏡板部を構成する鏡板）をパネル本体１０に設けることができる。
【００３４】
また、取付部材２０に、開口１４の内周面１５のパネル厚さ方向途中部位に周方向に延びるように設けられた凹溝１６に挿入される位置決め突片２１を設けている。従って、この位置決め突片２１を開口１４の内周面１５の凹溝１６に挿入させることで、取付部材２０のパネル厚さ方向の位置決めを容易に行うことができる。また、この位置決め突片２１のパネル厚さ方向両側に、開口１４の内周面１５に当接された状態でそれぞれに止具１９，１９によって固定される固定片部２２，２２を設けている。従って、これらパネル厚さ方向両側の固定片部２２，２２を開口１４の内周面１５にそれぞれ当接させることで、位置決め突片２１の挿入方向への取付部材２０の位置決めを容易に行うことができる。また、これらパネル厚さ方向両側の固定片部２２，２２がそれぞれに止具１９，１９によって固定されるので、取付部材２０を安定的かつ強固に開口１４の内周面１５に固定することができる。
【００３５】
また、本実施形態では、厚さ方向両側の縁部材３０，３０を、パネル本体１０の厚さ方向両面１１，１２のそれぞれに連続するように面一状に設けられた表面板部３１，３１を有したものとしている。従って、例えば、パネル本体１０の開口周縁部表面を覆うような突片部等を設けたようなものと比べて、フラットな印象を与えることができ、見栄えをより向上させることができる。なお、このような態様に代えて、縁部材３０，３０の開口内周面側部位に、パネル本体１０の開口周縁部表面を覆う突片部を設けた態様としてもよい。
【００３６】
また、本実施形態では、厚さ方向両側の縁部材３０，３０の反開口内周面側に設けられ、採光パネル１７に当接して保持する突片部３３，３３の先端部を軟質部３４，３４としている。従って、縁部材３０と採光パネル１７との間に隙間を生じ難くすることができ、採光パネル１７のがたつき等を抑制することができる。なお、厚さ方向一方側の縁部材３０の突片部３３の先端部のみを軟質部３４としてもよく、さらには、突片部３３の先端部を硬質なものとしてもよい。
【００３７】
また、本実施形態では、取付部材２０のパネル厚さ方向両側及び厚さ方向両側の縁部材３０，３０の裏面側のうちの一方にパネル厚さ方向に突出するように係止突片３５，３６を設けている。また、この係止突片３５，３６を、他方に設けられたパネル厚さ方向に開口する係止凹溝２３，２６に係止させ、取付部材２０に厚さ方向両側の縁部材３０，３０をそれぞれに取り付ける構造としている。従って、パネル本体１０の開口１４の内周面１５に固定された取付部材２０に対して、縁部材３０，３０をパネル厚さ方向に移動させ、縁部材３０，３０を取り付けることができる。これにより、例えば、採光パネル１７の面域方向に移動させて縁部材３０，３０を取付部材２０に取り付ける構造としたようなものと比べて、縁部材３０，３０の取付性を向上させることができる。また、例えば、開口１４の内周面１５の全周に亘って一体的に形成されたり、接合されたりした縁部材３０，３０を取付部材２０に取り付けることも容易に可能となる。
【００３８】
また、本実施形態では、係止突片３５，３６を、開口１４の周方向に沿って延びるようにかつ互いに間隔を空けて平行状に設けられた第１係止突片３５と第２係止突片３６とを備えたものとしている。また、係止凹溝２３，２６を、これら第１係止突片３５及び第２係止突片３６をそれぞれに係止する第１係止凹溝２３と第２係止凹溝２６とを備えたものとしている。従って、縁部材３０，３０を取付部材２０に強固に取り付けることができる。また、これらの係止部位が、開口内周面側と反開口内周面側とに間隔を空けて設けられることとなるため、縁部材３０，３０の開口内周面側部位及び反開口内周面側部位の取付部材２０に対する浮き等を抑制することができる。
【００３９】
また、本実施形態では、反開口内周面側の第２係止凹溝２６，２６と第２係止突片３６，３６との係止部位をパネル厚さ方向中心側に位置させた構成としている。従って、例えば、これらの係止部位をパネル厚さ方向外方側に位置させたような場合と比べて、採光パネル１７に対して板厚方向への外力等が作用した場合にも、縁部材３０，３０の反開口内周面側部位が浮いたり、これらの係止が解除されたりするようなことを抑制することができる。
なお、取付部材２０及び厚さ方向両側の縁部材３０，３０の係止部２３，２６，３５，３６としては、上記したような態様に限られず、種々の変形が可能である。例えば、係止突片３５，３６を、取付部材２０の厚さ方向両側に設け、係止凹溝２３，２６を、厚さ方向両側の縁部材３０，３０の裏面側に設けるようにしてもよい。また、パネル厚さ方向に沿って係止する態様に限られず、パネル面域方向に沿って係止する態様としてもよい。
【００４０】
また、本実施形態では、厚さ方向両側の縁部材３０，３０を、開口１４の内周面１５の全周に亘って額縁状に設けた態様とした例を示しているが、このような態様に限られない。例えば、本実施形態のように上下に長尺な矩形状とされた開口１４の場合には、開口１４の左右両側の内周面１５のみに取付部材２０を固定し、これら左右両側の取付部材２０の厚さ方向両側に縁部材３０，３０を取り付けた態様としてもよい。
また、本実施形態では、パネル本体１０に、単一の開口１４及び板状部材（採光パネル）１７をパネル幅方向中央よりも戸先側に寄った位置となるように設けた例を示しているが、このような態様に限られない。開口１４及び板状部材１７を、パネル幅方向中央に設けたり、複数の開口１４及び板状部材１７を設けたりしてもよい。また、パネル本体１０の上下方向の略全長に亘る開口１４及び板状部材１７を設けた態様としてもよい。
【００４１】
また、本実施形態では、開口１４及び板状部材１７を、上下に細長状とした例を示しているが、左右に細長状としたり、パネル厚さ方向に見て正方形状とされたものとしてもよい。例えば、建具用パネル１を、単一または複数の鏡板部（若しくは採光部）を構成する板状部材１７を設けた框組状パネルとしてもよい。さらには、開口１４及び板状部材１７をこのようにパネル厚さ方向に見て方形状とした態様に限られず、他の多角形状や円形状、楕円形状、その他異形状等としてもよい。これらの場合には、取付部材２０や縁部材３０，３０を適宜、必要に応じて変形するようにしてもよい。
【符号の説明】
【００４２】
１      建具用パネル
１０    パネル本体
１１    厚さ方向一方面
１２    厚さ方向他方面
１４    開口
１５    内周面
１６    凹溝
１７    採光パネル（板状部材）
１８    周縁
１９    止具
２０    取付部材
２１    位置決め突片
２２    固定片部
２３    第１係止凹溝（係止凹溝）
２６    第２係止凹溝（係止凹溝）
３０    縁部材
３１    表面板部
３３    突片部
３４    軟質部
３５    第１係止突片（係止突片）
３６    第２係止突片（係止突片）
【図１】
2014237944.tif 000003
【図２】
2014237944.tif 000004